【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
第一のパルス光および第二のパルス光を発生する光源と、
前記光源から発生した前記第一のパルス光および前記第二のパルス光を被検体に照射する光照射手段と、
前記光照射手段から照射された前記第一のパルス光に起因して前記被検体内で発生した音響波を音響波信号に変換する音響波探触子と、
前記光照射手段から照射され、被検体内を伝搬した前記第二のパルス光を光信号に変換する光検出手段と、
前記光信号から所定の周波数成分を抽出し、抽出した前記所定の周波数成分に基づいて被検体内の背景光学係数を取得する周波数解析手段と、
前記背景光学係数に基づいて、被検体内に到達する前記第一のパルス光の光強度分布を取得する光強度取得手段と、
前記音響波信号と前記光強度分布とに基づいて、前記被検体内における被検体情報を取得する情報取得手段と、
を有することを特徴とする、被検体情報取得装置。
【請求項２】
前記周波数解析手段は、前記所定の周波数成分と前記第二のパルス光との振幅比、および、前記所定の周波数成分と前記第二のパルス光との位相差に基づいて、被検体内の背景光学係数を取得する
ことを特徴とする、請求項１に記載の被検体情報取得装置。
【請求項３】
前記所定の周波数成分は、前記第二のパルス光を構成する周波数成分の振幅またはパワーが最大となる周波数に基づいた周波数成分である
ことを特徴とする、請求項１または２に記載の被検体情報取得装置。
【請求項４】
前記所定の周波数成分は、前記第二のパルス光のパルス幅の逆数に対応する周波数に基づいた周波数の成分である
ことを特徴とする、請求項１から３のいずれか１項に記載の被検体情報取得装置。
【請求項５】
前記光検出手段は、前記被検体内を伝搬した前記第二のパルス光を、前記被検体上の複数の異なる位置で受光し、複数の光信号に変換する
ことを特徴とする、請求項１から４のいずれか１項に記載の被検体情報取得装置。
【請求項６】
前記周波数解析手段は、前記複数の光信号に基づいて被検体の背景光学係数の空間分布を取得し、
前記光強度取得手段は、前記背景光学係数の空間分布に基づいて前記光強度分布を取得する
ことを特徴とする、請求項５に記載の被検体情報取得装置。
【請求項７】
前記光照射手段は、前記第一のパルス光よりも照射面積が小さい第二のパルス光を前記被検体に照射する
ことを特徴とする、請求項１から６のいずれか１項に記載の被検体情報取得装置。
【請求項８】
前記光照射手段は複数の光学部材を有し、前記複数の光学部材を切り替えることにより、前記第一のパルス光および第二のパルス光を個別に前記被検体に照射する
ことを特徴とする、請求項７に記載の被検体情報取得装置。
【請求項９】
前記光照射手段は、前記第一のパルス光および第二のパルス光を並行して前記被検体に照射する
ことを特徴とする、請求項７に記載の被検体情報取得装置。
【請求項１０】
前記第一のパルス光および前記第二のパルス光のパルス幅は、半値全幅において１０ナノ秒から６５０ナノ秒の範囲である
ことを特徴とする、請求項１から９のいずれか１項に記載の被検体情報取得装置。
【請求項１１】
前記第一のパルス光および前記第二のパルス光のパルス幅は、半値全幅において１００ナノ秒から６５０ナノ秒の範囲である
ことを特徴とする、請求項１から９のいずれか１項に記載の被検体情報取得装置。
【請求項１２】
前記音響波探触子が受信した音響波に基づいて、前記音響波の初期音圧分布を取得する再構成手段を更に有し、
前記情報取得手段は、前記初期音圧分布と前記光強度分布とを用いて、前記被検体内における被検体情報を取得する
ことを特徴とする、請求項１から１１のいずれか１項に記載の被検体情報取得装置。
【請求項１３】
前記第一のパルス光と前記第二のパルス光は、単一の光源から発生した光である
ことを特徴とする、請求項１から１２のいずれか１項に記載の被検体情報取得装置。
【請求項１４】
被検体内を伝搬した第二のパルス光に起因する、時間波形を有する第一の光信号を周波数領域に変換し、前記周波数領域における、前記第一の光信号の所定の周波数における第一の成分に基づいて前記被検体の光学係数を算出する周波数解析手段と、
前記被検体の光学係数に基づいて、前記被検体に照射された第一のパルス光の、前記被検体内における光強度分布を算出する光強度取得手段と、
前記光強度分布と、前記第二のパルス光の照射によって前記被検体で発生した音響波に基づいた音響波信号と、に基づいて、被検体情報を取得する情報取得手段と、
を有することを特徴とする、被検体情報取得装置。
【請求項１５】
前記第一のパルス光および前記第二のパルス光のパルス幅は、半値全幅において１０ナノ秒から６５０ナノ秒の範囲である
ことを特徴とする、請求項１４に記載の被検体情報取得装置。
【請求項１６】
被検体に対してパルス光を照射し、当該パルス光に起因して前記被検体内で発生した音響波を受信し、解析することで、前記被検体内の情報を取得する被検体情報取得装置の制御方法であって、
前記被検体に第一のパルス光を照射するステップと、
前記第一のパルス光に起因して前記被検体内で発生した音響波を音響波信号に変換するステップと、
前記被検体に第二のパルス光を照射するステップと、
被検体内を伝搬した前記第二のパルス光を光信号に変換するステップと、
前記光信号から所定の周波数成分を抽出し、抽出した前記所定の周波数成分に基づいて前記被検体内の背景光学係数を取得するステップと、
前記背景光学係数に基づいて、前記被検体内に到達する前記第二のパルス光の光強度分布を取得するステップと、
前記音響波信号と前記光強度分布とを用いて、前記被検体内における被検体情報を取得するステップと、
を含むことを特徴とする、被検体情報取得装置の制御方法。
【請求項１７】
被検体内を伝搬したパルス光に起因する、時間波形を有する光信号を周波数領域に変換するステップと、
前記周波数領域における、前記光信号の所定周波数の成分に基づいて、前記被検体の光学係数を算出するステップと、
を含むことを特徴とする、被検体情報取得装置の制御方法。
【請求項１８】
前記パルス光のパルス幅は、半値全幅において１０ナノ秒から６５０ナノ秒の範囲である
ことを特徴とする、請求項１７に記載の被検体情報取得装置の制御方法。
【請求項１９】
請求項１６から１８のいずれか１項に記載の被検体情報取得装置の制御方法の各ステップをコンピュータに実行させるプログラム。
【手続補正２】
【補正対象書類名】明細書
【補正対象項目名】００１０
【補正方法】変更
【補正の内容】
【００１０】
上記課題を解決するために、本発明に係る被検体情報取得装置は、
第一のパルス光および第二のパルス光を発生する光源と、前記光源から発生した前記第一のパルス光および前記第二のパルス光を被検体に照射する光照射手段と、前記光照射手段から照射された前記第一のパルス光に起因して前記被検体内で発生した音響波を音響波信号に変換する音響波探触子と、前記光照射手段から照射され、被検体内を伝搬した前記第二のパルス光を光信号に変換する光検出手段と、前記光信号から所定の周波数成分を抽出し、抽出した前記所定の周波数成分に基づいて被検体内の背景光学係数を取得する周波数解析手段と、前記背景光学係数に基づいて、被検体内に到達する前記第一のパルス光の光強度分布を取得する光強度取得手段と、前記音響波信号と前記光強度分布とに基づいて、前記被検体内における被検体情報を取得する情報取得手段と、を有することを特徴とする。
また、本発明の別形態に係る被検体情報取得装置は、
被検体内を伝搬した第二のパルス光に起因する、時間波形を有する第一の光信号を周波数領域に変換し、前記周波数領域における、前記第一の光信号の所定の周波数における第一の成分に基づいて前記被検体の光学係数を算出する周波数解析手段と、前記被検体の光
学係数に基づいて、前記被検体に照射された第一のパルス光の、前記被検体内における光強度分布を算出する光強度取得手段と、前記光強度分布と、前記第二のパルス光の照射によって前記被検体で発生した音響波に基づいた音響波信号と、に基づいて、被検体情報を取得する情報取得手段と、を有することを特徴とする。
【手続補正３】
【補正対象書類名】明細書
【補正対象項目名】００１１
【補正方法】変更
【補正の内容】
【００１１】
また、本発明に係る被検体情報取得装置の制御方法は、
被検体に対してパルス光を照射し、当該パルス光に起因して前記被検体内で発生した音響波を受信し、解析することで、前記被検体内の情報を取得する被検体情報取得装置の制御方法であって、前記被検体に第一のパルス光を照射するステップと、前記第一のパルス光に起因して前記被検体内で発生した音響波を音響波信号に変換するステップと、前記被検体に第二のパルス光を照射するステップと、被検体内を伝搬した前記第二のパルス光を光信号に変換するステップと、前記光信号から所定の周波数成分を抽出し、抽出した前記所定の周波数成分に基づいて前記被検体内の背景光学係数を取得するステップと、前記背景光学係数に基づいて、前記被検体内に到達する前記第二のパルス光の光強度分布を取得するステップと、前記音響波信号と前記光強度分布とを用いて、前記被検体内における被検体情報を取得するステップと、を含むことを特徴とする。
また、本発明の別形態に係る被検体情報取得装置の制御方法は、被検体内を伝搬したパルス光に起因する、時間波形を有する光信号を周波数領域に変換するステップと、前記周波数領域における、前記光信号の所定周波数の成分に基づいて、前記被検体の光学係数を算出するステップと、を含むことを特徴とする。
【手続補正４】
【補正対象書類名】明細書
【補正対象項目名】発明の名称
【補正方法】変更
【補正の内容】
【発明の名称】被検体情報取得装置、被検体情報取得装置の制御方法、および、プログラム